【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、
前記第１分割領域による検出信号から前記第３分割領域による検出信号を減算して、第１差分信号を生成する第１差分信号生成手段と、
前記第４分割領域による検出信号から前記第２分割領域による検出信号を減算して、第２差分信号を生成する第２差分信号生成手段と、
前記第２差分信号に対し、前記光ビームの進行方向側とその反対側における受光タイミングの遅延に対応して予め設定される遅延時間だけ、当該第２差分信号を遅延させて補正信号を出力する補正手段と、
前記第１差分信号と前記補正信号とを加算して、プリピット検出信号を出力するプリピット検出信号出力手段と、
を備えることを特徴とするプリピット検出装置。
【請求項２】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、
前記第２分割領域による検出信号に対し、前記光ビームの進行方向側とその反対側における受光タイミングの遅延に対応して予め設定される遅延時間だけ、当該検出信号を遅延させて第１補正信号を出力する第１補正手段と、
前記第４分割領域による検出信号に対し、前記遅延時間だけ、当該検出信号を遅延させて第２補正信号を出力する第２補正手段と、
前記第１分割領域による検出信号と前記第２補正信号とを加算して第１加算信号を生成する第１加算信号生成手段と、
前記第３分割領域による検出信号と前記第１補正信号とを加算して第２加算信号を生成する第２加算信号生成手段と、
前記第１加算信号から前記第２加算信号を減算してプリピット検出信号を出力するプリピット検出信号出力手段と、
を備えることを特徴とするプリピット検出装置。
【請求項３】
記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、
前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、前記第１分割領域乃至前記第４分割領域の各分割領域が前記反射光を受光して、検出信号Ａ、検出信号Ｂ、検出信号Ｃ、検出信号Ｄを出力する受光手段と、
前記検出信号Ａ、前記検出信号Ｃ、及び所定の遅延時間だけ前記検出信号Ｂ及び前記検出信号Ｄを遅延させた検出信号Ｂ’及び検出信号Ｄ’を基に、前記検出信号Ａ＋前記検出信号Ｂ’−前記検出信号Ｃ−前記検出信号Ｄ’で示されるプリピット検出信号を生成するプリピット検出信号生成手段と、
を備えることを特徴とするプリピット検出装置。
【請求項４】
前記プリピット検出信号生成手段は、
前記第１分割領域による前記検出信号Ａから前記第３分割領域による前記検出信号Ｃを減算して、第１差分信号を生成する第１差分信号生成手段と、
前記第４分割領域による前記検出信号Ｄから前記第２分割領域による前記検出信号Ｂを減算して、第２差分信号を生成する第２差分信号生成手段と、
当該第２差分信号を前記所定の遅延時間だけ遅延させる補正手段と、
前記第１差分信号と遅延された前記第２補正信号を加算して、プリピット検出信号を出力するプリピット検出信号出力手段と、
を備えることを特徴とする請求項３に記載のプリピット検出装置。
【請求項５】
前記プリピット検出信号生成手段は、
前記第２分割領域による前記検出信号Ｂに対し、前記所定の遅延時間だけ当該検出信号Ｂを遅延させて第１補正信号を出力する第１補正手段と、
前記第４分割領域による前記検出信号Ｄに対し、前記所定の遅延時間だけ当該検出信号Ｄを遅延させて第２補正信号を出力する第２補正手段と、
前記第１分割領域による前記検出信号Ａと前記第２補正信号を加算して第１加算信号を生成する第１加算信号生成手段と、
前記第３分割領域による前記検出信号Ｃと前記第１補正信号を加算して第２加算信号を生成する第２加算信号生成手段と、
前記第１加算信号から前記第２加算信号を減算してプリピット検出信号を生成し、出力するプリピット検出信号出力手段と、
を備えることを特徴とする請求項３に記載のプリピット検出装置。
【請求項６】
前記所定の遅延時間は、前記光ビームの進行方向側とその反対側における受光タイミングの遅延に対応して予め設定される時間であることを特徴とする請求項３乃至請求項５のいずれか１項に記載のプリピット検出装置。
【請求項７】
前記記録トラックはグルーブトラックであり、前記ガイドトラックはランドトラックであることを特徴とする請求項１乃至請求項６のいずれか１項に記載のプリピット検出装置。
【手続補正２】
【補正対象書類名】明細書
【補正対象項目名】００１１
【補正方法】変更
【補正の内容】
【００１１】
【課題を解決するための手段】
上記課題を解決するために、請求項１に記載のプリピット検出装置は、記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、前記第１分割領域による検出信号から前記第３分割領域による検出信号を減算して、第１差分信号を生成する第１差分信号生成手段と、前記第４分割領域による検出信号から前記第２分割領域による検出信号を減算して、第２差分信号を生成する第２差分信号生成手段と、前記第２差分信号に対し、前記光ビームの進行方向側とその反対側における受光タイミングの遅延に対応して予め設定される遅延時間だけ、当該第２差分信号を遅延させて補正信号を出力する補正手段と、前記第１差分信号と前記補正信号とを加算して、プリピット検出信号を出力するプリピット検出信号出力手段とを備えることを特徴とする。
【手続補正３】
【補正対象書類名】明細書
【補正対象項目名】００１２
【補正方法】変更
【補正の内容】
【００１２】
請求項１に記載の発明によれば、光ビームが情報記録媒体の記録トラックに照射されると、その反射光は、記録トラックに略平行な第１の分割線と略直交する第２の分割線により分割された４つの分割領域を有する受光手段により受光される。そして、ガイドトラック側で、かつ光ビームの進行方向の反対側にある第１分割領域の検出信号から、ガイドトラックの反対側で、かつ光ビームの進行方向側にある第３分割領域の検出信号を減算して、第１差分信号が生成される。また、ガイドトラック側で、かつ光ビームの進行方向側にある第４分割領域の検出信号から、ガイドトラックの反対側で、かつ光ビームの進行方向側にある第３分割領域の検出信号を減算して、第２差分信号が生成される。
【手続補正４】
【補正対象書類名】明細書
【補正対象項目名】００１５
【補正方法】変更
【補正の内容】
【００１５】
上記課題を解決するために、請求項２に記載のプリピット検出装置は、記録情報を記録可能であると共に、当該記録情報が記録される記録トラックへ光ビームを誘導するためのガイドトラックに制御情報を記録するためのプリピットが予め形成された情報記録媒体に対し、当該プリピットを検出するプリピット検出装置であって、前記記録トラックに照射された光ビームの反射光を、前記記録トラックに光学的に略平行な第１の分割線と、前記記録トラックに光学的に略直交する第２の分割線により分割し、前記第１の分割線に対して前記プリピットが形成されたガイドトラック側であって、前記第２の分割線に対して前記光ビームの進行方向の反対側に位置する第１分割領域と、前記第１の分割線に対して前記プリピットが形成されたガイドトラックの反対側であって、前記第２の分割線に対して前記光ビームの進行方向の反対側に位置する第２分割領域と、前記第１の分割線に対して前記プリピットが形成されたガイドトラックの反対側であって、前記第２の分割線に対して前記光ビームの進行方向側に位置する第３分割領域と、前記第１の分割線に対して前記プリピットが形成されたガイドトラック側であって、前記第２の分割線に対して前記光ビームの進行方向側に位置する第４分割領域とが設けられ、それぞれが前記反射光を受光する受光手段と、前記第２分割領域による検出信号に対し、前記光ビームの進行方向側とその反対側における受光タイミングの遅延に対応して予め設定される遅延時間だけ、当該検出信号を遅延させて第１補正信号を出力する第１補正手段と、前記第４分割領域による検出信号に対し、前記遅延時間だけ、当該検出信号を遅延させて第２補正信号を出力する第２補正手段と、前記第１分割領域による検出信号と前記第２補正信号とを加算して第１加算信号を生成する第１加算信号生成手段と、前記第３分割領域による検出信号と前記第１補正信号とを加算して第２加算信号を生成する第２加算信号生成手段と、前記第１加算信号から前記第２加算信号を減算してプリピット検出信号を出力するプリピット検出信号出力手段とを備えることを特徴とする。
【手続補正５】
【補正対象書類名】明細書
【補正対象項目名】００１７
【補正方法】変更
【補正の内容】
【００１７】
そして、第１分割領域の検出信号と第２補正信号とが加算された第１加算信号、及び、第３分割領域の検出信号と第１補正信号とが加算された第２加算信号が、それぞれ生成される。その後、第１加算信号から第２加算信号が減算されたプリピット検出信号が出力される。
【手続補正６】
【補正対象書類名】明細書
【補正対象項目名】００１９
【補正方法】変更
【補正の内容】
【００１９】
上記課題を解決するために、請求項７に記載のプリピット検出装置は、請求項１乃至請求項６のいずれか１項に記載のプリピット検出装置において、前記記録トラックはグルーブトラックであり、前記ガイドトラックはランドトラックであることを特徴とする。
【手続補正７】
【補正対象書類名】明細書
【補正対象項目名】００２０
【補正方法】変更
【補正の内容】
【００２０】
請求項７に記載の発明によれば、情報記録媒体のグルーブトラック上を光ビームで照射して情報ピットを検出し、並列するランドトラック上に形成されたプリピットの検出が別個に行われる。
【手続補正８】
【補正対象書類名】明細書
【補正対象項目名】００５９
【補正方法】変更
【補正の内容】
【００５９】
請求項７に記載の発明によれば、記録トラックはグルーブトラック、ガイドトラックはランドトラックとなるようにしたので、情報ピットの検出とプリピットの検出とで、相互に与える影響を軽減しつつ、高性能にプリピット検出を行うことができる。